(57)【特許請求の範囲】
【請求項１】
所定のデータ範囲に含まれる正データと負データとの割合に応じたＤＳＶ値を算出し、前記ＤＳＶ値に応じて前記データ範囲の間に挿入するリシンクパターンを選択し、前記選択したリシンクパターンを前記データ範囲の間に挿入するデータ記録方法において、
一のデータ範囲に含まれる記録データのＤＳＶ値と、前記一のデータ範囲に連続する他のデータ範囲及び前記リシンクパターンに含まれる記録データのＤＳＶ値との差が最小となるように前記リシンクパターンを選択するリシンクパターン選択段階を有するデータ記録方法。
【請求項２】
所定のデータ範囲に含まれる正データと負データとの割合に応じたＤＳＶ値を算出し、前記ＤＳＶ値に応じて前記データ範囲の間に挿入するリシンクパターンを選択し、前記選択したリシンクパターンを前記データ範囲の間に挿入するデータ記録装置において、
一のデータ範囲に含まれる記録データのＤＳＶ値と、前記一のデータ範囲に連続する他のデータ範囲及び前記リシンクパターンに含まれる記録データのＤＳＶ値との差が最小となるように前記リシンクパターンを選択するリシンクパターン選択手段を有するデータ記録装置。
【請求項３】
所定のデータ範囲に含まれる正データと負データとの割合に応じたＤＳＶ値に従って前記データ範囲の間にリシンクパターンを挿入したデータが記録されている光記録媒体において、
一のデータ範囲に含まれる記録データのＤＳＶ値と、前記一のデータ範囲に連続する他のデータ範囲及び前記リシンクパターンに含まれる記録データのＤＳＶ値との差が最小となるようなリシンクパターンが前記データ範囲の間に挿入されていることを特徴とする光記録媒体。
【発明の詳細な説明】
【０００１】
【発明の属する技術分野】
本発明は、データ記録方法およびデータ記録装置並びに光記録媒体に係り、特に、光学的にデータを記録するデータ記録方法およびデータ記録装置並びに光記録媒体に関する。
【０００２】
【従来の技術】
光記録媒体にデータを記録する記録方式の一つとして、マークエッジ記録方式が知られている。マークエッジ記録方式は、光記録媒体に記録するマークのエッジ部分がデータの値を表している。例えば、光ディスクにマークエッジ記録方式でデータを記録する場合の規格として、「Ｄａｔａ  Ｉｎｔｅｒｃｈａｎｇｅ  ｏｎ  ９０  ｍｍ  Ｏｐｔｉｃａｌ  Ｄｉｓｋ  Ｃａｒｔｒｉｄｇｅｓ」、ＩＳＯ／ＩＥＣ  ＪＴＣ  １／ＳＣ  ２３  Ｎ７０５、１．２３．０６  Ｄｒａｆｔ２  Ｄｅｃ  １９９４にて提案されている規格がある。
【０００３】
ところで、マークエッジ記録方式でＲＬＬ（１，７）変調コードを記録し、データ論理値１（以下、正データという）の個数とデータ論理値０（以下、負データという）の個数とが極端に異なると、１セクタ内において光ディスクからの再生波形の直流成分の平均値が大き過ぎたり小さ過ぎたりしてしまう。この場合、再生波形を二値化するときに利用するスライスレベルの設定が難しく、データを正確に再生することが困難であった。
【０００４】
そこで、上記規格では、データブロック間に挿入するリシンクパターンを適宜切り替え、再生波形の直流成分の累積を一定値（例えば、「０」）に近似させることにより、データ再生時のスライスレベルのマージンを大きくしていた。なお、具体的な手段としては、例えば特開平８−２７９２５１号公報に記載されているものが考えられる。
【０００５】
また、データの記録・再生を高精度に行う記録方式として、例えば記録データを所謂パーシャルレスポンス（ＰＲ）波形に変調して光磁気ディスクに記録し、その光磁気ディスクからの再生波形を所定周期でサンプリングした後に所謂ビタビ検出器（最尤データ検出器）にて最も確からしいデータを検出するパーシャルレスポンス・最尤検出（以下、ＰＲＭＬという）方式が知られている。
【０００６】
このようなＰＲＭＬ方式では、再生波形を所定周期でサンプリングし、そのサンプリング値のレベル遷移に着目してデータ再生を行なうため、再生波形の直流成分の変動によりデータを正確に再生する能力が低下する。そこで、ＰＲＭＬ方式においても、データを光磁気ディスクに記録するときに、セクタ内の直流成分が最小となるようなリシンクパターンをデータブロック間に挿入する。
【０００７】
従来、ＰＲＭＬ方式では、各データブロック間に挿入するリシンクパターンを適宜切り替え、再生信号の直流成分の累積を一定値（例えば、「０」）に近似させることにより、セクタ内の直流成分を最小限に抑えていた。
【０００８】
また、ＰＲＭＬ方式では、データを光磁気ディスクから再生するときに、再生波形の直流成分の変動量（以下、オフセット量という）を移動平均方式により算出し、算出したオフセット量を再生系（ビタビ復号）の期待値にフィードバックすることで再生波形のオフセット量による影響を減少させていた。
【０００９】
【発明が解決しようとする課題】
しかしながら、各データブロック間に挿入するリシンクパターンを適宜切り替えることによりセクタ内の直流成分を最小限に抑える方法は、データブロック間で直流成分の急激な変化が発生することがある。ＰＲＭＬ方式では、このようなデータブロック間での直流成分の急激な変化によりデータを正確に再生する能力が低下するという問題があった。
【００１０】
また、期待値を可変できるビタビ検出回路では、セクタ内のオフセット量を計算してダイナミックに期待値に反映させることも考えられるが、データブロック間でオフセット量の急激な変化があると、移動平均方式のオフセット量計算では対応することができないという問題があった。
【００１１】
特に、各データブロック間に挿入するリシンクパターンを適宜切り替えることによりセクタ内の直流成分を最小限に抑える方法は、データブロック間にあるリシンクパターンの前後で直流成分の急激な変化が発生することがあり、移動平均方式のオフセット量計算で十分に対応できないという問題があった。
【００１２】
本発明は、上記の点に鑑みなされたもので、所定のデータ範囲の間の直流成分の変動を抑制することができ、所定のデータ範囲の間の直流成分の変動に対応することができ、データ再生能力を向上することが可能なデータ記録方法およびデータ記録装置並びに光記録媒体を提供することを目的とする。
【００１３】
【課題を解決するための手段】
そこで、上記課題を解決するため、本発明は、請求項１に記載されるように、所定のデータ範囲に含まれる正データと負データとの割合に応じたＤＳＶ値を算出し、前記ＤＳＶ値に応じて前記データ範囲の間に挿入するリシンクパターンを選択し、前記選択したリシンクパターンを前記データ範囲の間に挿入するデータ記録方法において、一のデータ範囲に含まれる記録データのＤＳＶ値と、前記一のデータ範囲に連続する他のデータ範囲及び前記リシンクパターンに含まれる記録データのＤＳＶ値との差が最小となるように前記リシンクパターンを選択するリシンクパターン選択段階を有するように構成される。
【００１４】
このようなデータ記録方法では、所定のデータ範囲に含まれる正データと負データとの割合に応じたＤＳＶ（Ｄｉｇｉｔａｌ  Ｓｕｍ  Ｖａｌｕｅ）値，言い換えればそのデータ範囲の直流成分を算出する。そして、前記データ範囲の間のＤＳＶ値の差が最小となるようなリシンクパターンを選択し、選択したリシンクパターンを前記データ範囲の間に挿入する。このように、ＤＳＶ値の差が最小となるようなリシンクパターンをそのデータ範囲の間に挿入することにより、前記データ範囲の間の直流成分の変動を抑制することができ、データ再生能力を向上することが可能となる。
【００１５】
所定のデータ範囲の間のＤＳＶ値の差が最小となるようなリシンクパターンを効率良く選択するという観点から、本発明は、前記データ記録方法において、一のデータ範囲の第１ＤＳＶ値を算出する第１ＤＳＶ値算出段階と、前記一のデータ範囲に連続する他のデータ範囲および第１リシンクパターンの第２ＤＳＶ値を算出する第２ＤＳＶ値算出段階と、前記他のデータ範囲および第２リシンクパターンの第３ＤＳＶ値を算出する第３ＤＳＶ値算出段階と、前記第２ＤＳＶ値または第３ＤＳＶ値のうち前記第１ＤＳＶ値との差が小さい方を選択する選択段階と、前記選択された第２ＤＳＶ値または第３ＤＳＶ値に応じて、前記一のデータ範囲と前記他のデータ範囲との間に前記第１リシンクパターンまたは第２リシンクパターンを挿入するリシンクパターン挿入段階とを有するように構成することができる。
【００１６】
このようなデータ記録方法によれば、一のデータ範囲と他のデータ範囲との間に第１リシンクパターンまたは第２リシンクパターンを挿入した場合の第２ＤＳＶ値，第３ＤＳＶ値を夫々算出する。そして、第２ＤＳＶ値，第３ＤＳＶ値のうち第１ＤＳＶ値との差が小さい方を選択することにより、一のデータ範囲と他のデータ範囲との間に挿入するリシンクパターンを選択することができる。
【００１７】
所定のデータ範囲のＤＳＶ値を容易に変更させるという観点から、本発明は、前記データ記録方法において、前記第２リシンクパターンは、前記他のデータ範囲に含まれる正データおよび負データを反転させることを特徴とするように構成することができる。
【００１８】
このようなデータ記録方法によれば、所定のデータ範囲の間に第１リシンクパターンを挿入したときと第２リシンクパターンを挿入したときとで、他のデータ範囲に含まれる正データおよび負データが反転される。その結果、他のデータ範囲のＤＳＶ値を容易に変更することができる。
【００１９】
所定のデータ範囲の間のＤＳＶ値の差が所定値より小さければ、前記データ範囲の間の直流成分の変動は無視できるという観点から、本発明は、前記データ記録方法において、前記選択段階は、第２ＤＳＶ値および第３ＤＳＶ値と前記第１ＤＳＶ値との差が所定値より小さいとき、前回選択された第２ＤＳＶ値または第３ＤＳＶ値を選択することを特徴とするように構成することができる。
【００２０】
このようなデータ記録方法によれば、第２ＤＳＶ値および第３ＤＳＶ値と第１ＤＳＶ値との差が所定値より小さいとき、前回選択したリシンクパターンを選択し、そのリシンクパターンを前記データ範囲の間に挿入することができる。
【００２４】
また、本発明は、請求項２に記載されるように、所定のデータ範囲に含まれる正データと負データとの割合に応じたＤＳＶ値を算出し、前記ＤＳＶ値に応じて前記データ範囲の間に挿入するリシンクパターンを選択し、前記選択したリシンクパターンを前記データ範囲の間に挿入するデータ記録装置において、一のデータ範囲に含まれる記録データのＤＳＶ値と、前記一のデータ範囲に連続する他のデータ範囲及び前記リシンクパターンに含まれる記録データのＤＳＶ値との差が最小となるように前記リシンクパターンを選択するリシンクパターン選択手段を有するように構成される。
【００２５】
このようなデータ記録装置では、所定のデータ範囲のＤＳＶ値を算出し、前記データ範囲の間のＤＳＶ値の差が最小となるようなリシンクパターンを選択し、選択したリシンクパターンを前記データ範囲の間に挿入する。このように、ＤＳＶ値の差が最小となるようなリシンクパターンをそのデータ範囲の間に挿入することにより、前記データ範囲の間の直流成分の変動を抑制することができ、データ再生能力を向上することが可能となる。
【００２６】
所定のデータ範囲の間のＤＳＶ値の差が最小となるようなリシンクパターンを効率良く選択するという観点から、本発明は、前記データ記録装置において、一のデータ範囲の第１ＤＳＶ値を算出する第１ＤＳＶ値算出手段と、前記一のデータ範囲に連続する他のデータ範囲および第１リシンクパターンの第２ＤＳＶ値を算出する第２ＤＳＶ値算出手段と、前記他のデータ範囲および第２リシンクパターンの第３ＤＳＶ値を算出する第３ＤＳＶ値算出手段と、前記第２ＤＳＶ値または第３ＤＳＶ値のうち前記第１ＤＳＶ値との差が小さい方を選択する選択手段と、前記選択された第２ＤＳＶ値または第３ＤＳＶ値に応じて、前記一のデータ範囲と前記他のデータ範囲との間に前記第１リシンクパターンまたは第２リシンクパターンを挿入するリシンクパターン挿入手段とを有するように構成することができる。
【００２７】
このようなデータ記録装置によれば、一のデータ範囲と他のデータ範囲との間に第１リシンクパターンまたは第２リシンクパターンを挿入した場合の第２ＤＳＶ値，第３ＤＳＶ値を夫々算出する。そして、第２ＤＳＶ値，第３ＤＳＶ値のうち第１ＤＳＶ値との差が小さい方を選択することにより、一のデータ範囲と他のデータ範囲との間に挿入するリシンクパターンを選択することができる。
【００２８】
所定のデータ範囲のＤＳＶ値を容易に変更させるという観点から、本発明は、前記データ記録装置において、前記第２リシンクパターンは、前記他のデータ範囲に含まれる正データおよび負データを反転させることを特徴とするように構成することができる。
【００２９】
このようなデータ記録装置によれば、前記データ範囲の間に第１リシンクパターンを挿入したときと第２リシンクパターンを挿入したときとで、他のデータ範囲に含まれる正データおよび負データが反転される。その結果、他のデータ範囲のＤＳＶ値を容易に変更することができる。
【００３０】
所定のデータ範囲の間のＤＳＶ値の差が所定値より小さければ、前記データ範囲の間の直流成分の変動は無視できるという観点から、本発明は、前記データ記録装置において、前記選択手段は、第２ＤＳＶ値および第３ＤＳＶ値と前記第１ＤＳＶ値との差が所定値より小さいとき、前回選択された第２ＤＳＶ値または第３ＤＳＶ値を選択することを特徴とするように構成することができる。
【００３１】
このようなデータ記録装置によれば、第２ＤＳＶ値および第３ＤＳＶ値と第１ＤＳＶ値との差が所定値より小さいとき、前回選択したリシンクパターンを選択し、そのリシンクパターンを前記データ範囲の間に挿入することができる。
【００３２】
リシンクパターン直後のデータにおける期待値追従性をよくするという観点から、本発明は、前記データ記録装置において、前記第１，第２および第３ＤＳＶ値を算出する為のデータ範囲を設定するデータ範囲設定手段を更に有するように構成することができる。
【００３３】
このようなデータ記録装置によれば、ＤＳＶ値を算出するデータ範囲を任意に設定することができるので、リシンクパターン直前直後のＤＳＶ値を算出することができる。その結果、リシンクパターン直後のデータにおける期待値追従性を良くすることができる。
【００３６】
また、本発明は、請求項３に記載されるように、所定のデータ範囲に含まれる正データと負データとの割合に応じたＤＳＶ値に従って前記データ範囲の間にリシンクパターンを挿入したデータが記録されている光記録媒体において、一のデータ範囲に含まれる記録データのＤＳＶ値と、前記一のデータ範囲に連続する他のデータ範囲及び前記リシンクパターンに含まれる記録データのＤＳＶ値との差が最小となるようなリシンクパターンが前記データ範囲の間に挿入されていることを特徴とするように構成される。
【００３７】
このような光記録媒体は、各データ範囲の間のＤＳＶ値の差が最小となるようなリシンクパターンが各データ範囲の間に挿入されている。その結果、データ範囲の間の直流成分の変動を抑制することができ、データ再生能力を向上することが可能となる。
【００３８】
【発明の実施の形態】
以下、本発明の実施の形態について図面に基づいて説明する。なお、本発明はデータの記録に関する発明とデータの再生に関する発明とを含むので、最初にデータの記録に関する発明について説明する。
【００３９】
図１は、本発明の原理について説明する一例の図を示す。図１（Ａ），図１（Ｄ）は、ＲＬＬ（１，７）変調コードで構成されるデータ（１），データ（２）である。図１（Ａ）のデータ（１）は、データブロック間に下線部で示されるリシンクパターンＲＳＡ「０００１０００００００１００００００１０１０００」を有している。また、図１（Ｄ）のデータ（２）は、データブロック間に下線部で示されるリシンクパターンＲＳＢ「０００１０００００００１００００００１０００００」を有している。
【００４０】
リシンクパターンＲＳＡおよびリシンクパターンＲＳＢは、ＲＬＬ（１，７）変調コードで発生しない２種類のパターンであり、大きな欠陥等によるクロックスリップが発生した場合などに同期を取り直すために設けられている。図１のリシンクパターンＲＳＡとリシンクパターンＲＳＢとは、後方から４ビット目が異なるように「０」または「１」が設定されている。なお、図１（Ａ）のデータ（１）および図１（Ｄ）のデータ（２）は、リシンクパターンＲＳＡおよびリシンクパターンＲＳＢの部分だけが異なっているものとする。
【００４１】
図１（Ａ）のデータ（１）をマークエッジ記録方式で記録する場合、図１（Ｂ）のドメイン（１）および図１（Ｃ）の再生波形（１）が得られる。また、図１（Ｄ）のデータ（２）をマークエッジ記録方式で記録する場合、図１（Ｅ）のドメイン（２）および図１（Ｆ）の再生波形（２）が得られる。なお、ドメインとは、例えば光ディスクに記録される記録パターンのことである。
【００４２】
図１（Ａ）のデータ（１）と図１（Ｄ）のデータ（２）とは、リシンクパターンＲＳＡおよびリシンクパターンＲＳＢの部分だけが異なっているが、リシンクパターンＲＳＡおよびリシンクパターンＲＳＢ以後の図１（Ｂ）のドメイン（１）および図１（Ｅ）のドメイン（２）が異なっていることが確認できる。その結果、リシンクパターンＲＳＡおよびリシンクパターンＲＳＢ以後の図１（Ｃ）の再生波形（１）および図１（Ｆ）の再生波形（２）が異なっている。
【００４３】
例えば、図１（Ｆ）の再生波形（２）では、リシンクパターンＲＳＢ以前のデータブロックに含まれる直流成分と、リシンクパターンＲＳＢ以後のデータブロックに含まれる直流成分とに変動が生じている。このようなデータブロック間の直流成分の変動は、ＰＲＭＬ方式のデータ再生能力を低下させることがある。
【００４４】
一方、図１（Ｃ）の再生波形（１）では、リシンクパターンＲＳＡ以前のデータブロックに含まれる直流成分と、リシンクパターンＲＳＡ以後のデータブロックに含まれる直流成分とに変動がほとんど生じない。このように、データブロック間の直流成分の変動がほとんど生じなければ、ＰＲＭＬ方式のデータ再生能力を向上させることができる。
【００４５】
したがって、本発明では、リシンクパターンの前後のデータブロック間に生じる直流成分の変動が小さくなるようなリシンクパターンを選択し、選択したシンクパターンをデータブロック間に挿入することにより、ＰＲＭＬ方式のデータ再生能力を向上させている。
【００４６】
次に、データブロックの直流成分を算出するＤＳＶ値計算方法について図２を参照しつつ説明する。図２は、ＤＳＶ値計算方法について説明する一例の図を示す。ＤＳＶ値は、データブロックに含まれる正データの個数（マーク長）と負データの個数（スペース長）との差から算出される。
【００４７】
例えば、図２（Ｂ）のドメイン（１）に含まれるマーク長は２２であり、スペース長は３７である。また、図２（Ｄ）のドメイン（２）に含まれるマーク長は３１であり、スペース長は２８である。ＤＳＶ値は、マーク長およびスペース長を利用して以下の式（１）により算出される。
【００４８】
ＤＳＶ値＝Σ（マーク長）−Σ（スペース長）・・・・・（１）
式（１）より、図２（Ｂ）のドメイン（１）のＤＳＶ値は「−１５」，図２（Ｄ）のドメイン（２）のＤＳＶ値は「３」となる。このＤＳＶ値は、そのＤＳＶ値を算出したデータ範囲の正データの個数（マーク長）と負データの個数（スペース長）との差を表すものであり、言い換えればＤＳＶ値を算出したデータ範囲の直流成分を表すものである。したがって、前述のＤＳＶ値計算方法を利用することにより、各データブロックの直流成分に応じたＤＳＶ値を算出することができる。
【００４９】
本発明では、一のデータブロックのＤＳＶ値と、その一のデータブロックに連続する他のデータブロックのＤＳＶ値との変化量が小さくなるリシンクパターンを選択し、その選択したリシンクパターンを一のデータブロックと他のデータブロックとの間に挿入することにより、データブロック間の直流成分の変動を抑制することができる。
【００５０】
次に、データブロック間に挿入するリシンクパターンを選択することが可能なデータ記録装置について図３を参照しつつ説明する。図３は、本発明のデータ記録装置の一実施例の構成図を示す。
【００５１】
ホスト装置１は、例えばパーソナルコンピュータ，ワークステーション等であって、光ディスクに記録する為の記録データを計算範囲設定部２に供給する。ＭＰＵ９は、ＤＳＶ値を計算するデータ範囲を決定し、決定したデータ範囲に従って計算範囲設定部２から出力される記録データを制御する。なお、ＤＳＶ値を計算するデータ範囲に関する範囲設定情報は、記憶部１０に記録しておくことができる。
【００５２】
例えば、記憶部１０が範囲設定情報として、図４に示すようなＤＳＶ値計算範囲を記録していると、計算範囲設定部２はデータ範囲１に含まれる記録データをデータバッファ３のＤＳＶ値計算部４に供給すると共に、データ範囲２に含まれる記録データをデータバッファ３のＤＳＶ値計算部５，６に供給する。なお、全ＤＳＶ値計算部１１は、ホスト装置１から供給される全ての記録データが供給されている。
【００５３】
ＤＳＶ値計算部４は、計算範囲設定部２から供給されたデータ範囲１に含まれる記録データのＤＳＶ値ＤＳＶｎを算出し、算出したＤＳＶ値ＤＳＶｎをリシンクパターン決定部７に供給する。ＤＳＶ値計算部５は、計算範囲設定部２から供給されたデータ範囲２とリシンクパターンＲＳ−Ａとに含まれる記録データのＤＳＶ値ＤＳＶｎ＋１（Ａ）を算出し、算出したＤＳＶ値ＤＳＶｎ＋１（Ａ）をリシンクパターン決定部７に供給する。
【００５４】
ＤＳＶ値計算部６は、計算範囲設定部２から供給されたデータ範囲２とリシンクパターンＲＳ−Ｂとに含まれる記録データのＤＳＶ値ＤＳＶｎ＋１（Ｂ）を算出し、算出したＤＳＶ値ＤＳＶｎ＋１（Ｂ）をリシンクパターン決定部７に供給する。また、全ＤＳＶ値計算部１１は、図４に示すような全データ範囲に含まれる記録データのＤＳＶ値を算出し、そのＤＳＶ値をリシンクパターン決定部７に供給している。
【００５５】
なお、リシンクパターンＲＳ−ＡおよびリシンクパターンＲＳ−Ｂは、リシンクパターンＲＳ−Ａの挿入部分以後の再生波形と、リシンクパターンＲＳ−Ｂの挿入部分以後の再生波形とが反転するようなパターン配列となっている。
【００５６】
リシンクパターン決定部７は、ＤＳＶ値ＤＳＶｎ＋１（Ａ）またはＤＳＶ値ＤＳＶｎ＋１（Ｂ）のうち、ＤＳＶ値ＤＳＶｎとの差が小さい方を決定する。そして、リシンクパターン決定部７は、決定されたＤＳＶ値ＤＳＶｎ＋１（Ａ）またはＤＳＶ値ＤＳＶｎ＋１（Ｂ）に応じて図４のＲＳ１の部分に挿入するリシンクパターンを決定する。例えば、ＤＳＶ値ＤＳＶｎ＋１（Ａ）の方がＤＳＶ値ＤＳＶｎとの差が小さければ、ＲＳ１の部分に挿入するリシンクパターンとしてリシンクパターンＲＳ−Ａが選択される。
【００５７】
もし、ＤＳＶ値ＤＳＶｎが「５」，ＤＳＶ値ＤＳＶｎ＋１（Ａ）が「１０」，ＤＳＶ値ＤＳＶｎ＋１（Ｂ）が「−５」である場合、ＤＳＶ値ＤＳＶｎおよびＤＳＶ値ＤＳＶｎ＋１（Ａ）の差が「−５」，ＤＳＶ値ＤＳＶｎおよびＤＳＶ値ＤＳＶｎ＋１（Ｂ）の差とが「１０」であることが分かる。
【００５８】
この場合、ＤＳＶ値ＤＳＶｎ＋１（Ａ）の方がＤＳＶ値ＤＳＶｎとの差が小さいので、ＲＳ１の部分に挿入するリシンクパターンとしてリシンクパターンＲＳ−Ａが選択される。したがって、ＲＳ１の部分の前後でＤＳＶ値の変化量が小さくなるようなリシンクパターンを適宜選択することができる。
【００５９】
また、リシンクパターン決定部７は、ＤＳＶ値ＤＳＶｎおよびＤＳＶ値ＤＳＶｎ＋１（Ａ）の差と、ＤＳＶ値ＤＳＶｎおよびＤＳＶ値ＤＳＶｎ＋１（Ｂ）の差とが同程度であれば、全ＤＳＶ値計算部１１からのＤＳＶ値を利用することにより、更にＤＳＶ値を算出するデータ範囲を拡大してＤＳＶ値の変化量が小さくなるようなリシンクパターンを選択することもできる。
【００６０】
なお、リシンクパターン決定部７は、ＤＳＶ値ＤＳＶｎおよびＤＳＶ値ＤＳＶｎ＋１（Ａ）の差と、ＤＳＶ値ＤＳＶｎおよびＤＳＶ値ＤＳＶｎ＋１（Ｂ）の差とが同程度であれば、前回選択したリシンクパターンを引き続き選択することも可能である。
【００６１】
ＲＳ１の部分に挿入するリシンクパターンを選択すると、リシンクパターン決定部７は、決定したリシンクパターンをリシンクパターン付加部１２に供給する。リシンクパターン付加部１２は、ホスト装置１から供給される記録データの所定位置にリシンクパターン決定部７から供給されるリシンクパターンを挿入し、そのリシンクパターンを挿入した記録データをデータ記録ユニット８に転送する。
【００６２】
そして、データ記録ユニット８は、リシンクパターン付加部１２から供給された記録データを光ディスクなどの光記録媒体に記録する為のライトアンプ，制御部，駆動部などを含み、その記録データを光記録媒体に記録することができる。
【００６３】
したがって、本発明のデータ記録装置を利用して記録データが記録されている光記録媒体は、各データブロック間のＤＳＶ値の差が最小となるようなリシンクパターンが各データブロック間に挿入されている。その結果、データブロック間の直流成分の変化量が小さく、データ再生能力の優れている光記録媒体を実現することが可能となる。
【００６４】
データの記録に関する発明に続き、データの再生に関する発明について説明していく。図５は、本発明の原理について説明する他の一例の図を示す。本発明のデータ再生方法，データ再生装置は、データブロック間に挿入するリシンクパターンを適宜切り替えて再生波形の直流成分の累積を一定値（例えば、「０」）に近似させるようにデータを記録した光ディスク等、又はデータブロック間に挿入するリシンクパターンを適宜切り替えて再生波形の直流成分の変動を小さくするようにデータを記録した光ディスク等からデータを再生する。
【００６５】
図５（Ａ），図５（Ｂ）は、光ディスク等からの再生波形である。図５（Ａ），図５（Ｂ）の再生波形（１），（２）は、リシンクパターンの前後にあるデータブロック間で直流成分の変動が生じている。例えば移動平均方式でオフセット量を算出する場合、平均個数を多くすると図５（Ａ）に点線で示すように徐々に変化するオフセット量が算出される。図５（Ａ）に点線で示すようなオフセット量では、データブロック間で発生する直流成分の急激な変化に対応することができない。
【００６６】
一方、平均個数を少なくすると、算出されるオフセット量がデータパターンにまで追従するようになり、オフセット量の変動が大きくなる。したがって、算出したオフセット値を期待値にフィードバックしたとしても、オフセット値の変動が大きい為、期待値のマージンが小さくなる。
【００６７】
そこで、移動平均方式でオフセット値を算出する場合、平均個数をリシンクパターン部分で少なくすることにより、図５（Ｂ）に点線で示すような急激に変化するオフセット量が算出される。つまり、リシンクパターン部分の平均個数をデータブロック部分の平均個数より少なくすることにより、オフセット量の追従性能を向上することができ、データ再生能力を向上することが可能となる。
【００６８】
次に、データブロック間で発生する直流成分の急激な変化に対応することが可能なデータ再生装置について図６を参照しつつ説明する。図６は、本発明のデータ再生装置の一実施例の構成図を示す。
【００６９】
図６のデータ再生装置２０は、減算器２１，２２と、除算器２３と、加算器２４と、フリップフロップ（以下、ＦＦという）２５と、セレクタ２６と、リシンク（Resync）位置ウインドウ作成及びゲート信号作成部２７と、ＭＰＵ（Micro Processing Unit）２８，オフセット量選択部２９，メモリ３０，セレクタ３１，先頭モニタ３２とを含むように構成される。
【００７０】
減算器２１は、再生波形を所定周期でサンプリングしたサンプリング値である入力データと、期待値とが供給される。減算器２１は、供給された入力データから期待値を減算した差分値を算出し、その差分値を現在のオフセット量として減算器２２に供給する。
【００７１】
減算器２２は、減算器２１から現在のオフセット量が供給されると共に、ＦＦ２５から出力される前回のオフセット量が供給される。ＦＦ２５から出力される前回のオフセット量は、オフセット量として再生系（ビタビ復号）の期待値にフィードバックされたものである。
【００７２】
減算器２２は、現在のオフセット量から過去のオフセット量を減算したオフセット量差分値を算出し、そのオフセット量差分値を除算器２３に供給する。オフセット量差分値は、過去のオフセット量と現在のオフセット量との変化量を表す値であり、例えばオフセット量が急激に変化している場合に大きい値となる。
【００７３】
除算器２３は、減算器２２からオフセット量差分値が供給されると共に、セレクタ２６から移動平均方式のオフセット量計算で利用する平均個数が供給される。除算器２３は、オフセット量差分値をセレクタ２６から供給される平均個数で除算し、その除算したオフセット量差分値を加算器２４に供給する。
【００７４】
セレクタ２６は、例えばＭＰＵ等から通常時の平均個数（例えば、１２８）と、高速追従時の平均個数（例えば、１６）とが供給されると共に、Ｒｅｓｙｎｃ位置ウインドウ作成及びゲート信号作成部２７からＲｅｓｙｎｃ位置ウインドウ信号が供給される。セレクタ２６は、Ｒｅｓｙｎｃ位置ウインドウ信号に応じて通常時の平均個数又は高速追従時の平均個数の何れか一方を除算器２３に供給する。
【００７５】
Ｒｅｓｙｎｃ位置ウインドウ作成及びゲート信号作成部２７は、リードゲート信号をカウントし、Ｒｅｓｙｎｃ位置ウインドウ信号を作成する。リシンク位置ウインドウ信号は、再生波形のリシンクパターン部分を検出する為の信号であって、セレクタ２６に供給される。なお、リードゲート信号のカウント数は、ＭＰＵ２８等から設定可能である。
【００７６】
ここで、Ｒｅｓｙｎｃ位置ウインドウ信号と、セレクタ２６が除算器２３に供給する平均個数との関係を図７を参照しつつ説明する。図７は、データ再生装置の一例のタイミング図を示す。図７（Ａ）は、光ディスク等からの再生波形である。図７（Ｂ）は、Ｒｅｓｙｎｃ位置ウインドウ作成及びゲート信号作成部２７から出力されるＲｅｓｙｎｃ位置ウインドウ信号である。図７（Ｃ）は、セレクタ２６から出力される平均個数である。図７（Ｄ）は、Ｒｅｓｙｎｃ位置ウインドウ作成及びゲート信号作成部２７から出力されるオフセット値記憶タイミング信号である。また、図７（Ｅ）は、先頭モニタ値選択信号である。
【００７７】
図７（Ｂ）に示すＲｅｓｙｎｃ位置ウインドウ信号は、図７（Ａ）に示す再生波形のデータブロック部分でロウレベル，リシンクパターン部分でハイレベルとなる。そして、図７（Ｂ）に示すＲｅｓｙｎｃ位置ウインドウ信号が供給されると、セレクタ２６は図７（Ｃ）に示すように、Ｒｅｓｙｎｃ位置ウインドウ信号がロウレベルのときに通常時の平均個数１２８，Ｒｅｓｙｎｃ位置ウインドウ信号がハイレベルのときに高速追従時の平均個数１６を選択し、選択した平均個数を除算器２３に供給している。
【００７８】
つまり、除算器２３は、再生波形のデータブロック部分で通常時の平均個数１２８が供給され、リシンクパターン部分で高速追従時の平均個数１６が供給されることとなる。したがって、除算器２３は、データブロック部分のオフセット量差分値を通常時の平均個数１２８で除算し、リシンクパターン部分のオフセット量差分値を高速追従時の平均個数１６で除算することができる。
【００７９】
加算器２４は、除算器２３から除算されたオフセット量差分値が供給されると共に、ＦＦ２５から出力される前回のオフセット量が供給される。加算器２４は、除算器２３で除算されたオフセット量差分値とＦＦ２５から供給された前回のオフセット量とを加算した移動平均値を算出し、その移動平均値をオフセット量選択部２９に供給する。
【００８０】
オフセット量選択部２９は、加算器２４から移動平均値，セレクタ３１からオフセット量，Ｒｅｓｙｎｃ位置ウインドウ作成及びゲート信号作成部２７から図７（Ｅ）に示すような先頭モニタ値選択信号が供給される。オフセット量選択部２９は、先頭モニタ値選択信号に応じて加算器２４から供給された移動平均値又はセレクタ３１から供給されたオフセット量の何れか一方を新たなオフセット量としてＦＦ２５に供給する。
【００８１】
図７（Ｅ）に示す先頭モニタ値選択信号は、リシンクパターン直後に一定期間ハイレベルとなる信号である。この先頭モニタ値選択信号が供給されると、オフセット量選択部２９は先頭モニタ値選択信号がハイレベルのときにセレクタ３１から供給されたオフセット量，先頭モニタ値選択信号がロウレベルのときに加算器２４から供給された移動平均値を選択し、新たなオフセット量としてＦＦ２５に供給する。
【００８２】
つまり、リシンクパターン直後の一定期間だけセレクタ３１から供給されるオフセット量がＦＦ２５に供給される一方、リシンクパターン直後の一定期間以外では加算器２４から供給される移動平均値がオフセット量としてＦＦ２５に供給される。そして、ＦＦ２５は、オフセット量選択部２９から供給された新たなオフセット量をラッチし、ラッチしたオフセット量を所定のタイミングで出力している。
【００８３】
次に、セレクタ３１からオフセット量選択部２９に供給されるオフセット量について説明する。セレクタ３１から出力されるオフセット量は、メモリ３０に格納されている１つ以上のオフセット量から選択されたものである。メモリ３０は、例えばＭＰＵ２８からの指示によりオフセット量を格納する。また、メモリ３０は、図７（Ｄ）に示すオフセット量記憶タイミング信号に応じて、ＦＦ２５から出力されるオフセット量を格納する。
【００８４】
図７（Ｄ）に示すオフセット量記憶タイミング信号は、リシンクパターン直前から一定期間ハイレベルとなる信号である。このオフセット量記憶タイミング信号が供給されると、メモリ３０はオフセット量記憶タイミング信号の立ち上がりタイミングでＦＦ２５から供給されるオフセット量を格納する。なお、メモリ３０は、格納している１つ以上のオフセット量を適宜並び替えることでオフセット量の選択を容易にしている。
【００８５】
セレクタ３１は、メモリ３０に格納されている１つ以上のオフセット量が供給されると共に、先頭モニタ３２から選択信号が供給される。先頭モニタ３２は、Ｒｅｓｙｎｃ位置ウインドウ信号が供給されると共に、再生波形を所定周期でサンプリングしたサンプリング値である入力データが供給される。先頭モニタ３２は所定数の入力データをモニタし、そのモニタ結果に応じた選択信号をセレクタ３１に供給する。セレクタ３１は選択信号に応じて１つ以上のオフセット量から１つのオフセット量を選択し、オフセット量選択部２９に出力する。例えばセレクタ３１は、先頭モニタ３２がモニタした所定数の入力データに最も近似するオフセット量を選択できる。
【００８６】
したがって、オフセット量選択部２９は、リシンクパターン直後の一定期間にメモリ３０に格納されているオフセット量を初期値としてＦＦ２５に供給することができる。
【００８７】
本発明は、以下の付記に記載されているような構成が考えられる。
【００８８】
（付記１）所定のデータ範囲に含まれる正データと負データとの割合に応じたＤＳＶ値を算出し、前記ＤＳＶ値に応じて前記データ範囲の間に挿入するリシンクパターンを選択し、前記選択したリシンクパターンを前記データ範囲の間に挿入するデータ記録方法において、
前記データ範囲の間のＤＳＶ値の差が最小となるように前記リシンクパターンを選択するリシンクパターン選択段階を有するデータ記録方法。
【００８９】
（付記２）付記１記載のデータ記録方法において、
一のデータ範囲の第１ＤＳＶ値を算出する第１ＤＳＶ値算出段階と、
前記一のデータ範囲に連続する他のデータ範囲および第１リシンクパターンの第２ＤＳＶ値を算出する第２ＤＳＶ値算出段階と、
前記他のデータ範囲および第２リシンクパターンの第３ＤＳＶ値を算出する第３ＤＳＶ値算出段階と、
前記第２ＤＳＶ値または第３ＤＳＶ値のうち前記第１ＤＳＶ値との差が小さい方を選択する選択段階と、
前記選択された第２ＤＳＶ値または第３ＤＳＶ値に応じて、前記一のデータ範囲と前記他のデータ範囲との間に前記第１リシンクパターンまたは第２リシンクパターンを挿入するリシンクパターン挿入段階と
を有するデータ記録方法。
【００９０】
（付記３）付記２記載のデータ記録方法において、
前記第２リシンクパターンは、前記他のデータ範囲に含まれる正データおよび負データを反転させることを特徴とするデータ記録方法。
【００９１】
（付記４）付記２記載のデータ記録方法において、
前記選択段階は、第２ＤＳＶ値および第３ＤＳＶ値と前記第１ＤＳＶ値との差が所定値より小さいとき、前回選択された第２ＤＳＶ値または第３ＤＳＶ値を選択することを特徴とするデータ記録方法。
【００９２】
（付記５）再生波形の直流変動量を算出し、前記直流変動量の移動平均値に応じて期待値を修正し、前記修正した期待値に応じてデータを再生するデータ再生方法において、
現在の直流変動量を算出する直流変動量算出段階と、
前記現在の直流変動量と過去の直流変動量との移動平均値を算出する移動平均値算出段階とを有し、
前記移動平均値算出段階は、所定のデータブロック部分の移動平均値を第１の平均個数に応じて算出し、
前記所定のデータブロックの間に挿入されたリシンクパターン部分の移動平均値を第１の平均個数より少ない第２の平均個数に応じて算出することを特徴とするデータ再生方法。
【００９３】
（付記６）付記５記載のデータ再生方法において、
前記第１の平均個数又は第２の平均個数を可変設定することを特徴とするデータ再生方法。
【００９４】
（付記７）付記５記載のデータ再生方法において、
前記リシンクパターンの幅を可変設定することを特徴とするデータ再生方法。
【００９５】
（付記８）付記５記載のデータ再生方法において、
前記所定のデータブロック部分の移動平均値を１つ以上格納する移動平均値格納段階と、
前記格納した移動平均値のうち一つの移動平均値を選択し、前記選択した移動平均値を前記所定のデータブロック部分の初期移動平均値に設定する初期移動平均値設定段階と
を更に有するデータ再生方法。
【００９６】
（付記９）所定のデータ範囲に含まれる正データと負データとの割合に応じたＤＳＶ値を算出し、前記ＤＳＶ値に応じて前記データ範囲の間に挿入するリシンクパターンを選択し、前記選択したリシンクパターンを前記データ範囲の間に挿入するデータ記録装置において、
前記データ範囲の間のＤＳＶ値の差が最小となるように前記リシンクパターンを選択するリシンクパターン選択手段を有するデータ記録装置。
【００９７】
（付記１０）付記９記載のデータ記録装置において、
一のデータ範囲の第１ＤＳＶ値を算出する第１ＤＳＶ値算出手段と、
前記一のデータ範囲に連続する他のデータ範囲および第１リシンクパターンの第２ＤＳＶ値を算出する第２ＤＳＶ値算出手段と、
前記他のデータ範囲および第２リシンクパターンの第３ＤＳＶ値を算出する第３ＤＳＶ値算出手段と、
前記第２ＤＳＶ値または第３ＤＳＶ値のうち前記第１ＤＳＶ値との差が小さい方を選択する選択手段と、
前記選択された第２ＤＳＶ値または第３ＤＳＶ値に応じて、前記一のデータ範囲と前記他のデータ範囲との間に前記第１リシンクパターンまたは第２リシンクパターンを挿入するリシンクパターン挿入手段と
を有するデータ記録装置。
【００９８】
（付記１１）付記９記載のデータ記録装置において、
前記第２リシンクパターンは、前記他のデータ範囲に含まれる正データおよび負データを反転させることを特徴とするデータ記録装置。
【００９９】
（付記１２）付記９記載のデータ記録装置において、
前記選択手段は、第２ＤＳＶ値および第３ＤＳＶ値と前記第１ＤＳＶ値との差が所定値より小さいとき、前回選択された第２ＤＳＶ値または第３ＤＳＶ値を選択することを特徴とするデータ記録装置。
【０１００】
（付記１３）付記９記載のデータ記録装置において、
前記第１，第２および第３ＤＳＶ値を算出する為のデータ範囲を設定するデータ範囲設定手段を更に有するデータ記録装置。
【０１０１】
（付記１４）再生波形の直流変動量を算出し、前記直流変動量の移動平均値に応じて期待値を修正し、前記修正した期待値に応じてデータを再生するデータ再生装置において、
現在の直流変動量を算出する直流変動量算出手段と、
前記現在の直流変動量と過去の直流変動量との移動平均値を算出する移動平均値算出手段とを有し、
前記移動平均値算出手段は、所定のデータブロックに対応する直流変動量の移動平均値を第１の平均個数に応じて算出し、
前記所定のデータブロックの間に挿入されたリシンクパターンに対応する直流変動量の移動平均値を第１の平均個数より少ない第２の平均個数に応じて算出することを特徴とするデータ再生装置。
【０１０２】
（付記１５）付記１４記載のデータ再生装置において、
前記第１の平均個数又は第２の平均個数を可変設定することを特徴とするデータ再生装置。
【０１０３】
（付記１６）付記１４記載のデータ再生装置において、
前記リシンクパターンの幅を可変設定することを特徴とするデータ再生装置。
【０１０４】
（付記１７）付記１４記載のデータ再生装置において、
前記所定のデータブロック部分の移動平均値を１つ以上格納する移動平均値格納手段と、
前記格納した移動平均値のうち一つの移動平均値を選択し、前記選択した移動平均値を前記所定のデータブロック部分の初期移動平均値に設定する初期移動平均値設定手段と
を更に有するデータ再生装置。
【０１０５】
（付記１８）所定のデータ範囲に含まれる正データと負データとの割合に応じたＤＳＶ値に従って前記データ範囲の間にリシンクパターンを挿入したデータが記録されている光記録媒体において、
前記データ範囲の間のＤＳＶ値の差が最小となるようなリシンクパターンが前記データ範囲の間に挿入されていることを特徴とする光記録媒体。
【０１０６】
【発明の効果】
上述の如く、本発明によれば、ＤＳＶ値の差が最小となるようなリシンクパターンを所定のデータ範囲の間に挿入することで、そのデータ範囲の間の直流成分の変動を抑制することができ、直流成分の変動に影響を受け易いデータ再生方法におけるデータ再生能力を向上することが可能となる。
【０１０８】
【図面の簡単な説明】
【図１】本発明の原理について説明する一例の図である。
【図２】ＤＳＶ値計算方法について説明する一例の図である。
【図３】本発明のデータ記録装置の一実施例の構成図である。
【図４】ＤＳＶ値計算範囲について説明する一例の図である。
【図５】本発明の原理について説明する他の一例の図である。
【図６】本発明のデータ再生装置の一実施例の構成図である。
【図７】データ再生装置の一例のタイミング図である。
【符号の説明】
１    ホスト装置
２    計算範囲設定部
３    データバッファ
４，５，６    ＤＳＶ値計算部
７    リシンクパターン決定部
８    データ記録ユニット
９    ＭＰＵ
１０    記憶部
１１    全ＤＳＶ値計算部
１２    リシンクパターン付加部
２０    データ再生装置
２１，２２    減算器
２３    除算器
２４    加算器
２５    フリップフロップ（ＦＦ）
２６，３１    セレクタ
２７    リシンク（Resync）位置ウインドウ作成及びゲート信号作成部
２８    ＭＰＵ（Micro Processing Unit）
２９    オフセット量選択部
３０    メモリ
３２    先頭モニタ
【図１】
0004138227.tif 000002
【図２】
0004138227.tif 000003
【図３】
0004138227.tif 000004
【図４】
0004138227.tif 000005
【図５】
0004138227.tif 000006
【図６】
0004138227.tif 000007
【図７】
0004138227.tif 000008